(57)【要約】【課題】小型軽量化が可能なヘッドホンを提供する。【解決手段】両端に一対のユニット１３０が取り付けられユニット間を接続するコード１７０が挿通されたヘッドバンド（バンド）１１０を有し、少なくとも一方のユニットがバンドに対して摺動自在なるヘッドホンにおいて、摺動自在なるユニットを支持し、バンドの端部と摺動自在なるユニットとを接続するカールコード１７５を収容し、バンドの軸方向でのユニットの摺動範囲を規制するスライド溝１２２が設けられた中空状のスライダ１２０と、バンドの端部に固定されてスライダに挿通され、バンドに対するユニットの摺動に際して、スライダの摺動を案内するスライダガイド１４０と、スライダの軸に直交する方向でのスライド溝の幅と略同一の幅を有し、バンドの端部に取付けられ、バンドに対するユニットの摺動に際して、スライド溝の端部で係止可能なようにスライド溝に係合されるストッパ１５０と、を備える。【選択図】図７
2009171342.tif 000002
【特許請求の範囲】
【請求項１】
両端に一対のヘッドホンユニットが取り付けられ前記一対のヘッドホンユニット間を接続するコードが挿通されたバンドを有し、前記一対のヘッドホンユニットのうち少なくとも一方が前記バンドに対して摺動自在なるヘッドホンにおいて、
前記摺動自在なるヘッドホンユニットを支持し、前記コードのうち前記バンドの端部と前記摺動自在なるヘッドホンユニットとを接続する伸縮部を収容し、前記バンドの軸方向での前記ヘッドホンユニットの摺動範囲を規制する被係合部が設けられた中空状のスライダと、
前記バンドの端部に固定されて前記スライダに挿通され、前記バンドに対する前記ヘッドホンユニットの摺動に際して、前記スライダの摺動を案内するスライダガイドと、
前記スライダの軸に直交する方向での前記被係合部の幅と略同一の幅を有し、前記バンドの端部に取付けられ、前記バンドに対する前記ヘッドホンユニットの摺動に際して、前記被係合部の端部で係止可能なように前記被係合部に係合される係合部と、
を備えた、ヘッドホン。
【請求項２】
前記被係合部は、前記スライダの側面を貫通するスライド溝として設けられ、前記係合部は、前記スライド溝に係合される突起部材として設けられたことを特徴とする、請求項１に記載のヘッドホン。
【請求項３】
前記スライダの内面に押圧された状態で前記スライダガイドと前記スライダとの間に配される弾性の摺動規制部をさらに備えたことを特徴とする、請求項２に記載のヘッドホン。
【請求項４】
前記摺動規制部は、前記スライダガイドに一体化されたことを特徴とする、請求項３に記載のヘッドホン。
【請求項５】
前記被係合部は、前記スライダの内面に係合凹部として設けられ、前記係合部は、前記係合凹部に係合される突起部として前記スライダガイドに設けられたことを特徴とする、請求項１に記載のヘッドホン。
【請求項６】
前記スライダガイドには、前記コードが挿通されるコード挿通孔が設けられたことを特徴とする、請求項１に記載のヘッドホン。
【請求項７】
前記摺動規制部には、前記コードが挿通されるコード挿通孔が設けられたことを特徴とする、請求項３に記載のヘッドホン。
【請求項８】
前記コードの伸縮部は、カールコードとして形成されたことを特徴とする、請求項１に記載のヘッドホン。
【発明の詳細な説明】
【技術分野】
【０００１】
本発明は、ヘッドホンに関する。
【背景技術】
【０００２】
近年、若者を中心として時間および場所を問わずに音楽を聴くという習慣が広まっている。このため、ヘッドホンを装着した状態で他の動作をしながら音楽を聴くことがごく一般的に行われている。
【０００３】
一方、ヘッドバンド、ネックバンド、アンダーチンバンドなど、バンドの両端に左右一対のヘッドホンユニット（以下では単にユニットとも称する。）が設けられ、両方のユニットからコードが引出された形式のヘッドホンが一般的に使用されている。そして、この種のヘッドホンを装着した状態で他の動作をすると、コードと身体との接触により動作が妨げられ、さらにヘッドホンの装着状態が変更され、場合によってはヘッドホンが外れるなどして、ユーザが煩しく感じてしまうという問題がある。
【０００４】
このような問題を解消するために、例えば下記特許文献１に示すように、両方のユニットからコードが引出される代わりに、バンド内にコードを挿通し、一方のユニットのみからコードが引出された形式のヘッドホンも実用化されている。
【０００５】
【特許文献１】特開平８−２５６３９０号公報
【特許文献２】特開平１０−１９１４９０号公報
【特許文献３】特開平１０−２００９８１号公報
【特許文献４】特開２００４−９６７９２号公報
【発明の開示】
【発明が解決しようとする課題】
【０００６】
しかしながら、通常、両方のユニット間を接続するコードを収容する領域を確保するために、バンドおよびユニットが大型重量化してしまう。特に、バンドに対するユニットの摺動機構が設けられる場合には、通常、ユニットの摺動量に応じてコード長を調節する調節機構も設けられるため、バンドおよびユニットが大型重量化し、ヘッドホンの装着性が低下してしまうという問題がある。
【０００７】
本発明は上記問題点に鑑みてなされたものであり、その目的は、小型軽量化が可能な、新規かつ改良されたヘッドホンを提供することにある。
【課題を解決するための手段】
【０００８】
上記課題を解決するために、本発明のある観点によれば、両端に一対のヘッドホンユニットが取り付けられ一対のヘッドホンユニット間を接続するコードが挿通されたバンドを有し、一対のヘッドホンユニットのうち少なくとも一方がバンドに対して摺動自在なるヘッドホンが提供される。本ヘッドホンは、摺動自在なるヘッドホンユニットを支持し、コードのうちバンドの端部と摺動自在なるヘッドホンユニットとを接続する伸縮部を収容し、バンドの軸方向でのヘッドホンユニットの摺動範囲を規制する被係合部が設けられた中空状のスライダと、バンドの端部に固定されてスライダに挿通され、バンドに対するヘッドホンユニットの摺動に際して、スライダの摺動を案内するスライダガイドと、スライダの軸に直交する方向での被係合部の幅と略同一の幅を有し、バンドの端部に取付けられ、バンドに対するヘッドホンユニットの摺動に際して、被係合部の端部で係止可能なように被係合部に係合される係合部と、を備えることを特徴とする。
【０００９】
かかる構成によれば、バンドに対して摺動自在なるヘッドホンユニット（以下では単にユニットとも称する。）では、被係合部に係合される係合部によって、バンドの軸方向でのスライダの摺動範囲、およびスライダの回転が規制される。また、バンドに対するユニットの摺動量に応じて、コードの伸縮部がスライダの内部で伸縮する。これにより、スライダ、スライダガイド、および係合部という簡単な構成で、ユニットの摺動機構およびコード長の調節機構が実現可能となり、ヘッドホン自体を小型軽量化することができる。
【００１０】
また、上記被係合部は、スライダの側面を貫通するスライド溝として設けられ、係合部は、スライド溝に係合される突起部材として設けられてもよい。これにより、スライダの側面に設けられたスライド溝に係合される突起部材によって、スライダの摺動範囲および回転が規制されるので、摺動機構の組立性が向上する。
【００１１】
また、上記スライダの内面に押圧された状態でスライダガイドとスライダとの間に配される弾性の摺動規制部をさらに備えてもよい。これにより、スライダの内面と摺動規制部との間の弾性摩擦によりスライダの摺動が規制されるので、バンドに対するユニットの摺動量の調節が容易となる。
【００１２】
また、上記摺動規制部は、スライダガイドに一体化されてもよい。これにより、摺動機構の組立性が向上する。
【００１３】
また、上記被係合部は、スライダの内面に係合凹部として設けられ、係合部は、係合凹部に係合される突起部としてスライダガイドに設けられてもよい。これにより、スライダの内面に設けられた係合凹部に係合される突起部によって、スライダの摺動範囲および回転が規制されるので、スライド溝などの被係合部を通じたスライダの外部から内部への物質の侵入を防止することができる。
【００１４】
また、上記スライダガイドおよび／またはクッションには、コードが挿通されるコード挿通孔が設けられてもよい。これにより、コードが挿通孔を通じてバンドの端部からユニットへ接続されるので、スライダの断面を小型化することができる。
【００１５】
また、上記コードの伸縮部は、カールコードとして形成されてもよい。これにより、コードがカールコードとしてスライダに収容されるので、スライダの断面を小型化することができる。
【発明の効果】
【００１６】
本発明によれば、小型軽量化が可能なヘッドホンを提供することができる。
【発明を実施するための最良の形態】
【００１７】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１８】
図１は、本発明の一実施形態に係るヘッドホン１００の装着状態を示す説明図である。図１には、ヘッドバンド形式のヘッドホン１００が示されている。図１は、ヘッドホン１００を装着したユーザを正面から見た場合（ａ）、および左側面から見た場合（ｂ）の装着状態を示している。
【００１９】
以下では、本発明がヘッドバンド形式のヘッドホンに適用される場合について説明するが、本発明は、ヘッドバンド形式のヘッドホンに限定されず、例えばネックバンド形式、アンダーチンバンド形式など、他形式のヘッドホン、またはヘッドセットにも同様に適用することができる。
【００２０】
図１に示すように、ヘッドホン１００は、左右一対のヘッドホンユニット１３０（以下では単にユニット１３０とも称する。）が両端に取り付けられたヘッドバンド（バンド）１１０を有する。ヘッドホン１００では、一対のユニット１３０間を接続するコード１７０がヘッドバンド内に挿通され、一方のユニット１３０（図１では左側ユニットに相当する。）からプラグ付コードとして引出されている。
【００２１】
ヘッドホン１００は、一対のユニット１３０のうち少なくとも一方をヘッドバンド１１０の軸方向で摺動自在とする摺動機構を有する。なお、以下では、ヘッドホン１００が両方のユニット１３０をヘッドバンド１１０の軸方向で摺動自在とする摺動機構を有する場合について説明する。
【００２２】
ユーザは、ヘッドバンド１１０を頭頂部に装着した状態で、一対のユニット１３０が左右の耳介の略正面に位置するように、ヘッドバンド１１０に対するユニット１３０の摺動量を調節することにより、装着性を向上させることができる。
【００２３】
図２は、ヘッドホン１００の外観を示す斜視図である。図２に示すように、ヘッドホン１００は、略Ｕ字形状のヘッドバンド１１０、ヘッドバンド１１０の両端に取り付けられた一対のスライダ１２０（ハンガーとも称される。）、および一対のスライダ１２０に支持された一対のユニット１３０を含んで構成される。
【００２４】
ヘッドバンド１１０は、可撓性を有し、両端間の直線距離が所定の範囲で調節可能である。スライダ１２０は、一端でユニット１３０を支持し、他端でヘッドバンド１１０の端部に対して摺動自在に取り付けられる。ユニット１３０は、スピーカを含むドライバユニット（不図示）を収容するハウジング１３２、ハウジング１３２から所定の角度で突設した音導管１３４、音導管１３４の先端に取り付けられた弾性のイヤピース１３６を含んで構成される。なお、音導管１３４および／またはイヤピース１３６は、省略されてもよい。ユニット１３０は、ハウジング１３２に設けられたアーム部１３８を介してスライダ１２０の一端に支持される。
【００２５】
図３は、ヘッドホン１００の摺動機構を示す説明図である。図３には、摺動機構の構成要素の分解斜視図が示されている。
【００２６】
図３に示すように、摺動機構は、ヘッドバンド１１０内に挿通されるバンド部材１１２、スライダ１２０、スライダガイド１４０、ストッパ（係合部）１５０、ストッパリング１５４、クッション（摺動規制部）１６０、コード１７０を含んで構成される。なお、以下では、摺動機構を構成する各部材の材質について例示しているが、各部材の材質を限定するものではない。
【００２７】
バンド部材１１２は、例えばステンレススチールなどにより、可撓性を有する薄板状、棒状などの部材として形成される。バンド部材１１２の端部には、ストッパ１５０の一端に設けられた雄ネジ１５２が係合される雌ネジ１１４が設けられている。また、バンド部材１１２が硬性の材料により構成される場合には、頭部に対する装着性を向上させるために、軟性の材料により被覆されてもよい。なお、バンド部材１１２は、金属により構成される代わりに、例えば樹脂などにより構成されてもよい。
【００２８】
スライダ１２０は、例えばアルミニウムなどにより、所定の内径を有する円筒状の部材として形成される。スライダ１２０には、スライダ１２０の軸方向で両端部１２２ａ、１２２ｂを有する直線状のスライド溝１２２が所定の溝幅で設けられている。また、ヘッドバンド１１０に取付けられる端部には、環状のキャップ１２４が取付けられる。なお、スライダ１２０の内径は、後述するカールコード１７５の直径に略相当するように決定されている。
【００２９】
スライダ１２０が円筒状の部材として形成されることで、スライダ１２０の加工が容易となり、耳介などとの接触面が湾曲化されて装着性が確保される。また、所定の内空断面を確保することが容易となり、スライダ１２０ひいてはヘッドホン１００自体の小型軽量化が可能となる。しかし、スライダ１２０の断面形状は、円筒状に限定されるものではない。
【００３０】
スライダガイド１４０は、例えば樹脂などにより、スライダ１２０の内径に略相当する外径を有する略円柱状の部材として形成される。スライダガイド１４０には、詳細は後述するが、ストッパ１５０が貫通するストッパ貫通孔１４２、クッション１６０を格納するクッション格納部１４４、バンド部材１１２の端部を格納するバンド格納部１４６、およびコード１７２が挿通されるコード挿通孔１４８が設けられている。
【００３１】
ストッパ１５０は、例えばスチールなどにより、スライド溝１２２の溝幅と略同一の幅を有する突起状の部材として形成される。ストッパ１５０の一端には、バンド部材１１２の雌ネジ１１４に係合される雄ネジ１５２が設けられている。ストッパ１５０は、スライダ１２０に挿入されたバンド部材１１２の雌ネジ１１４に一端がスライド溝１２２を通じて係合された状態で、他端がスライド溝１２２の端部１２２ａ，１２２ｂで係止可能な長さを有する。
【００３２】
なお、ストッパ１５０は、摺動時に所定のせん断強度が確保可能であり、かつ、スライダ１２０の小型化を実現可能であれば、バンド部材１１２に対してネジにより係合される代わりに、カシメなどにより係合されてもよい。
【００３３】
ストッパリング１５４は、例えばストッパ１５０に対するフッ素コーティングなどにより、ストッパ１５０を被覆するように形成される。ストッパリング１５４は、スライド溝１２２沿いでのストッパ１５０の移動に際して、スライド溝１２２との接触によりストッパ１５０が損傷、磨耗することを防止する。
【００３４】
クッション１６０は、例えばゴムなどにより、スライダガイド１４０のクッション格納部１４４の形状に略相当する略半円形断面状の部材として形成される。クッション１６０には、詳細は後述するが、コード１７２が挿通されるコード挿通孔１６２、およびスライダの内面との接触面１６５が設けられている。
【００３５】
コード１７０は、信号線および接地線からなる２芯の配線を含んで形成される。コード１７０は、詳細は後述するが、ヘッドバンド１１０内に挿通される部分１７０、およびヘッドバンド１１０の端部に位置する部分１７２とユニット１３０とを接続する接続部１７４を含んで構成される。
【００３６】
図４は、スライダガイド１４０の詳細を示す説明図であり、図５は、クッション１６０の詳細を示す説明図である。図４には、スライダガイド１４０の平面図（ａ）、右側面図（ｂ）、Ａ−Ａ線沿いの断面図（ｃ）、およびＢ−Ｂ線沿いの断面図（ｄ）が示されている。図５には、クッション１６０の平面図（ａ）、右側面図（ｂ）、および正面図（ｃ）が示されている。
【００３７】
図４に示すように、スライダガイド１４０には、略円柱状の断面を有する両端部１４１、および略Ｕ字形状の断面を有する中央部１４３が設けられている。
【００３８】
両端部１４１の外面には、コード１７２が挿通される略円形断面状のコード挿通孔１４８が軸方向で設けられている。一端部の内部には、バンド部材１１２の端部をバンド格納部１４６に導通する方形断面状のバンド導通孔１４７が軸方向で設けられている。スライダ１２０の内空断面形状に略相当する断面形状を有する両端部１４３は、スライダ１２０の内面に対する接触面１４５を有する。
【００３９】
中央部１４３の底面には、ストッパ１５０が貫通するストッパ貫通孔１４２が設けられている。中央部１４３には、クッション１６０を格納するクッション格納部１４４、およびバンド部材１１２の端部を格納するバンド格納部１４６が設けられている。
【００４０】
図５に示すように、クッション１６０には、コード１７２が挿通される略円形断面状のコード挿通孔１６２が軸方向で設けられている。スライダ１２０の内空断面形状の一部に略相当する断面形状を有するクッション１６０は、スライダ１２０の内面に対する接触面１６５を有する。また、クッション１６０には、スライダ１２０の内面との間での摩擦を確実に提供するための突条１６４が軸方向で設けられている。
【００４１】
ここで、クッション１６０は、バンド部材１１２の端部およびコード１７２とともにスライダガイド１４０に格納された状態で、スライダガイド１４０に対してスライダ１２０が摺動する際に、接触面１６５（および突条１６４）とスライダ１２０の内面との間で弾性摩擦が生じるように形成される。
【００４２】
ここで、クッション１６０は、材料の弾性が同一であれば、断面形状が大きいほど良好にスライダガイド１４０に対するスライダ１２０の摺動を規制する。このため、バンド格納部１４６およびコード挿通孔１４８を設けて、スライダ１２０内の限られた内空断面を有効利用することで、クッション１６０の格納スペースが確保されている。
【００４３】
なお、スライダ１２０の内面との間での弾性摩擦をスライダガイド１４０の接触面１４５のみで十分に確保可能であれば、クッション１６０は省略されてもよい。この場合、スライダ１２０の中央部には、クッション格納部１４４が設けられなくてもよい。また、クッション１６０は、スライダガイド１４０と別体で構成される代わりに、スライダガイド１４０と一体に構成されてもよい。
【００４４】
図６は、ヘッドバンド１１０およびコード１７０の詳細を示す説明図である。図６には、ヘッドバンド１１０およびコード１７０の平面図（ａ）、およびＣ−Ｃ線沿いの断面図（ｂ）が示されている。
【００４５】
図６（ｂ）には、チューブにより被覆されたバンド部材１１２およびコード１７０の断面が示されている。バンド部材１１２は、コード１７０と併せて押出チューブにより被覆される。なお、バンド部材１１２およびコード１７０は、適当な被覆厚を確保することにより摺動時における被覆材の摩擦劣化が抑制可能であれば、押出チューブの代わりに熱収縮チューブなどにより被覆されてもよい。
【００４６】
ヘッドバンド１１０に挿通されるコード１７０は、コードが引出されない側のユニット１３０（図１では右側ユニットに相当する。）に対応する１本の信号線および１本の接地線からなる２芯の配線で構成される。ヘッドバンド１１０に挿通されるコード１７０は、前述したように、バンド部材１１２と併せて被覆される。
【００４７】
ヘッドバンド１１０に挿通されるコード１７０の端部には、ヘッドバンド１１０の端部に位置する部分１７２とユニット１３０とを接続する接続部１７４が設けられている。コードの接続部１７４は、伸縮自在なカールコードとしてスライダ１２０の内部に収容される伸縮部１７５と、スライダ１２０の外部に引出されてユニット１３０に接続される引出部１７６とからなる。
【００４８】
コードが引出される側のユニット１３０（図１では左側ユニットに相当する。）では、ヘッドバンド１１０に挿通された右側ユニット１３０の信号線および１本の接地線と、左側ユニット１３０の信号線とを併せた３芯からなるコードが引出され、プラグ（不図示）などを介して電子機器などに接続される。
【００４９】
図７、８は、ヘッドホン１００の摺動機構の詳細を示す説明図である。図７、８には、ヘッドバンド１１０の一端およびスライダ１２０の内部構造が示され、図７は、摺動機構を示す部分断面図であり、図８は、摺動機構の主要部を示す拡大断面図である。また、図８には、摺動機構の主要部の拡大図（ａ）、Ｄ−Ｄ線沿いの断面図（ｂ）、およびＥ−Ｅ線沿いの断面図（ｃ）が示されている。
【００５０】
図７、８に示すように、摺動機構では、スライダガイド１４０のコード挿通孔１４８にコード１７２を挿通し、クッション１６０のコード挿通孔１６２にコード１７２を挿通した状態でスライダガイド１４０のクッション格納部１４４にクッション１６０を取付ける。そして、バンド部材１１２の端部をスライダガイド１４０のバンド導通孔１４７に通し、バンド格納部１４６に取付ける。
【００５１】
スライダガイド１４０のストッパ貫通孔１４２がスライダ１２０のスライド溝１２２上に位置するように、バンド部材１１２の先端に取付けたスライダガイド１４０を、コード１７２およびクッション１６０とともにスライダ１２０に挿通する。ここで、スライダ１２０の内面と少なくともクッション１６０の接触面１６５（突条１６４を含む）との間では、スライダ１２０に対するスライドガイド１４０の摺動を規制する弾性摩擦が生じる。そして、ストッパリング１５４により被覆されたストッパ１５０の雄ネジ１５２をスライド溝１２２を通じてバンド部材１１２の雌ネジ１１４に係合する。ここで、ストッパ１５０は、スライド溝１２２と略同一の幅を有し、スライダガイド１４０に対するスライダ１２０の摺動に際して、スライド溝１２２の端部１２２ａ，１２２ｂで係止可能なようにバンド部材１１２の雌ネジ１１４に係合される。
【００５２】
図９は、摺動機構の動作状態を示す説明図である。図９には、ユニット１３０がヘッドバンド１１０の先端に近づくようにスライダ１２０を摺動させた状態（ａ）、およびヘッドバンド１１０の先端から遠ざかるようにスライダ１２０を摺動させた状態（ｂ）が示されている。
【００５３】
図９（ａ）では、スライド溝１２２のうちユニット１３０に近い側の一端１２２ｂにストッパ１５０が係止することで、ヘッドバンド１１０に対するスライダ１２の摺動範囲が規制されている。また、スライダ１２０の内部でカールコード１７５が収縮することで、ユニット１３０の摺動量に応じてコード長が調節されている。一方、図９（ｂ）では、スライド溝１２２のうちユニットから遠い側の他端１２２ａにストッパ１５０が係止することで、ヘッドバンド１１０に対するスライダ１２０の摺動範囲が規制されている。また、スライダ１２０の内部でカールコード１７５が伸長することで、ユニット１３０の摺動量に応じてコード長が調節されている。
【００５４】
以上説明したように、本実施形態に係るヘッドホン１００によれば、ヘッドバンド１１０に対するユニット１３０の摺動量の調節に際して、スライド溝１２２に係合されるストッパ１５０によって、ヘッドバンド１１０の軸方向でのスライダ１２０の摺動範囲および回転が規制される。
【００５５】
つまり、ストッパ１５０がスライド溝１２２に沿って移動し、スライド溝１２２の端部１２２ａ，１２２ｂに係止することで、スライダ１２０の摺動範囲が規制され、ヘッドバンド１１０からスライダ１２０が抜け落ちることが防止される。また、ストッパ１５０がスライダ１２０の軸に直交する方向でスライダ１２０（スライド溝１２２の側面）に接触することで、スライダガイド１４０の回転が規制され、耳介に対する音導管１３４の突設方向の変化による装着性の低下、またはコード１７０の破断が防止される。
【００５６】
また、スライダ１２０の内面と少なくともクッション１６０の接触面１６５（突条１６４を含む）との間の弾性摩擦によって、スライダガイド１４０に対するスライダ１２０の摺動が規制されることで、ヘッドバンド１１０に対するユニット１３０の摺動量の調節が容易となる。この場合、摺動量の無段階調節が可能となる。
【００５７】
さらに、ヘッドバンド１１０に対するユニット１３０の摺動量に応じてカールコード１７５がスライダ１２０の内部で伸縮することで、コード長の調節機構が実現される。この場合、カールコード１７５が外部に露出しないので、皮脂、整髪料などによるコード１７０（１７２、１７４）の劣化防止が可能となる。
【００５８】
よって、本実施形態に係るヘッドホン１００によれば、スライダ１２０、スライダガイド１４０、およびストッパ１５０（選択的にクッション１６０を含む）という簡単な構成で、ユニット１３０の摺動機構およびコード長の調節機構が実現可能となり、ヘッドホン１００自体を小型軽量化することができる。
【００５９】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【００６０】
例えば、上記実施形態では、摺動機構がスライダ１２０の側面を貫通するスライド溝１２２、およびスライド溝１２２に係合されるストッパ１５０を含む場合について説明した。この場合、スライド溝１２２を通じてストッパ１５０がバンド部材１１２に締結されるので組立が容易である。
【００６１】
図１０は、摺動機構の変形例の詳細を示す説明図である。図１０には、ヘッドバンド１１０の一端およびスライダ１２０’の内部構造が示され、図１０には、摺動機構の変形例に係る主要部の拡大図（ａ）、Ｆ−Ｆ線沿いの断面図（ｂ）、およびＧ−Ｇ線沿いの断面図（ｃ）が示されている。
【００６２】
摺動機構は、例えば、スライダ１２０’の内面に設けられた係合凹部１２２’、およびスライダガイド１４０’に設けられて係合凹部１２２’に係合される突起部１５０’を含んでもよい。なお、係合凹部１２２’には、スライド溝１２２と同様に、スライダ１２０’の軸方向で端部１２２ａ’および１２２ｂ’（不図示）が設けられる。この場合、バンド部材１１２’の先端は、例えば接着などの固定手段によりスライダガイド１４０’のバンド格納部１４６’に格納される。
【００６３】
そして、スライダ１２０’の摺動に際して、突起部１５０’が端部１２２ａ’または１２２ｂ’に係止することで、スライダ１２０’の軸方向での摺動範囲が規制される。また、突起部１５０’が係合凹部１２２’に係合されることで、スライダ１２０’の回転が規制される。これにより、スライダ１２０’の側面に開口を設けずに摺動機構が構成されるので、スライド溝１２２を通じたスライダ１２０の外部から内部への物質の侵入を防止することができる。
【００６４】
また、上記実施形態では、摺動機構によりヘッドバンド１１０に対するユニット１３０の摺動量が無段階に調節可能となる場合について説明した。しかし、ヘッドバンド１１０に対するユニット１３０の摺動量は、例えば、スライド溝１２２の幅に所定の間隔で凹凸を設けるなどして、段階的に調節可能となるようにしてもよい。
【図面の簡単な説明】
【００６５】
【図１】本発明の一実施形態に係るヘッドホンの装着状態を示す説明図である。
【図２】ヘッドホンの外観を示す斜視図である。
【図３】ヘッドホンの摺動機構を示す説明図である。
【図４】スライダガイドの詳細を示す説明図である。
【図５】クッションの詳細を示す説明図である。
【図６】ヘッドバンドおよびコードの詳細を示す説明図である。
【図７】ヘッドホンの摺動機構の詳細を示す説明図である。
【図８】ヘッドホンの摺動機構の詳細を示す説明図である。
【図９】摺動機構の動作状態を示す説明図である。
【図１０】摺動機構の変形例の詳細を示す説明図である。
【符号の説明】
【００６６】
１００    ヘッドホン
１１０    ヘッドバンド（バンド）
１２０、１２０’    スライダ
１２２    スライド溝（被係合部）
１２２’    係合凹部
１３０    ヘッドホンユニット
１４０、１４０’    スライダガイド
１５０    ストッパ（係合部）
１５０’    突起部
１６０    クッション（摺動規制部）
１７０    コード
１７５    カールコード（伸縮部）
【図１】
2009171342.tif 000003
【図２】
2009171342.tif 000004
【図３】
2009171342.tif 000005
【図４】
2009171342.tif 000006
【図５】
2009171342.tif 000007
【図６】
2009171342.tif 000008
【図７】
2009171342.tif 000009
【図８】
2009171342.tif 000010
【図９】
2009171342.tif 000011
【図１０】
2009171342.tif 000012